(57)【要約】【課題】被写体にマーカーを合わせる必要があるため、被写体が変わる都度、位置あわせをする必要があり、操作が煩雑になっていため、左右の２つの映像のずれが映像のずれが少なくなるように、極めて簡単に、かつ、正確に立体映像の撮影が行なえる立体撮影位置決め装置を提供する。【解決手段】撮像装置と前記撮像装置本体に装着される立体撮影用アダプタと前記立体撮影用アダプタを通して片方の眼用の映像を画像表示部の右半分に、他方の眼用の映像を前記画像表示部の左半分にくるようにした立体写真型の立体映像を撮影する撮像装置において、前記撮像装置の前記画像表示部に前記立体撮影用アダプタと前記撮像装置本体との水平位置を合致させるための前記画像表示部の垂直方向を示す水平合わせ用指標を少なくとも１本表示する。【選択図】図１
2016020977.tif 000002
【特許請求の範囲】
【請求項１】
撮像装置と前記撮像装置本体に装着される立体撮影用アダプタと前記立体撮影用アダプタを通して片方の眼用の映像を画像表示部の右半分に、他方の眼用の映像を前記画像表示部の左半分にくるようにした立体写真型の立体映像を撮影する撮像装置において、前記撮像装置の前記画像表示部に前記立体撮影用アダプタと前記撮像装置本体との水平位置を合致させるための前記画像表示部の垂直方向を示す水平合わせ用指標を少なくとも１本表示することを特徴とする撮像装置。
【請求項２】
前記撮像装置において、前記立体撮影用アダプタの取付時に、前記撮像装置のフォーカスを前記立体撮影用アダプタの光学系端部に合焦するように制御することを特徴とする請求項１に記載の撮像装置。
【請求項３】
前記撮像装置において、水平合わせ用指標は任意に動かすことができ、使用者が選択的に前記水平合わせ用指標の位置を移動することができるを特徴とする請求項１に記載の撮像装置。
【発明の詳細な説明】
【技術分野】
【０００１】
本発明は、撮像装置に関するものである。
【背景技術】
【０００２】
容易な構成でステレオ画像を撮影するため、撮像装置本体の撮像レンズ前方に立体撮影用アダプター（ステレオアダプター）取り付けて撮影をする方法がある。
【０００３】
ステレオアダプターを撮像装置に装着する方法としては、撮像装置側にステレオアダプター用の位置決め穴を設置し、ステレオアダプター側に位置決め穴に挿入される位置決めボスを配置する方法や、ステレオアダプターの取り付け部がバヨネットマウント式になっており、回転の位置が決まる方法（特許文献１）が考案されているが、一般的には、撮像装置の撮像レンズに関わるアクセサリを取り付けるためのフィルターネジ部に取り付けられる方法が採用されている。
【０００４】
フィルターネジ部に取り付ける方法では、回転方向の取り付け角度が撮像装置本体のフィルターネジがどのように切られているかで、取り付け位置が変わってしまうため、ステレオアダプター取り付け用のフィルターネジ部よりも光軸前方側を回転させて、撮像装置との水平位置を合わせる構造になっている。そのため、水平位置の位置あわせは手動で行なわれ、かつ、使用者の目分量によって位置合わせが行なわれている。
【０００５】
上記問題点を鑑み、ステレオアダプターの位置あわせに関して、左右の映像の中心位置を表示する案内標を備える発明が考案されている（特許文献２）。
【先行技術文献】
【特許文献】
【０００６】
【特許文献１】特開２００３−１３１３３１号公報
【特許文献２】特開平１０−３２２７２５号公報
【発明の概要】
【発明が解決しようとする課題】
【０００７】
しかしながら、上記特許文献２の発明においては、被写体に案内標を合わせる必要があるため、ステレオ撮影する際の操作が煩雑になっていた。
【０００８】
本発明は上記問題点を鑑み、左右の２つの映像のずれが映像のずれが少なくなるように、極めて簡単に、かつ、正確に立体映像の撮影が行なえる立体撮影装置を提供することにある。
【課題を解決するための手段】
【０００９】
上記の目的を達成するため、本発明の構成は、撮像装置と撮像装置本体に装着される立体撮影用アダプタと立体撮影用アダプタを通して片方の眼用の映像を画像表示部の右半分に、他方の眼用の映像を画像表示部の左半分にくるようにした立体写真型の立体映像を撮影する撮像装置において、撮像装置の画像表示部に立体撮影用アダプタと撮像装置本体との水平位置を合致させるための画像表示部の垂直方向を示す水平合わせ用指標を少なくとも１本表示する。立体撮影用アダプタの取付時に、撮像装置のフォーカスを立体撮影用アダプタの光学系端部に合焦するように制御する。また、水平合わせ用指標は任意に動かすことができ、使用者が選択的に前記水平合わせ用指標の位置を移動することができる。
【発明の効果】
【００１０】
本発明によれば、立体撮影用アダプタの光学系端部に合焦するように制御し、撮像装置の画像表示部に立体撮影用アダプタと撮像装置本体との水平位置を合致させるための画像表示部の垂直方向を示す水平合わせ用指標を表示するために光学系端部と水平合わせ用指標を合致させるように位置合わせをすることで、撮像装置本体と、立体撮影用アダプタとの水平位置を合致させることができるようになる。また、水平合わせ用指標は使用者が選択的に移動できるため、どのような立体撮影用アダプタが装着されても、水平合わせ用指標をそれぞれの立体撮影用アダプタに合わせることができるようになる。
【図面の簡単な説明】
【００１１】
【図１】実施形態である立体撮影装置の概略構成を示した斜視図
【図２】実施形態であるステレオアダプター取付部の概略構成を示した断面図
【図３】実施形態であるステレオアダプターの概略構成を示した斜視図
【図４】実施形態であるステレオアダプターを撮像レンズ側から見た平面図
【図５】ステレオアダプターの位置調整後の画像表示部に表示された映像の説明図
【図６】実施形態である立体画像撮影装置のブロック図
【図７】実施形態である立体画像撮影装置の動作を説明するためのフローチャート
【図８】ステレオアダプターの位置調整前の画像表示部に表示された映像の説明図
【発明を実施するための形態】
【００１２】
以下、図面を参照して、本発明に係る立体画像表示装置の実施形態について説明する。図１は本実施形態である立体画像撮像装置の概略構成を示した斜視図、図２は本実施形態であるステレオアダプター取付部の概略構成を示した断面図を示している。
【００１３】
１０１は立体画像撮像装置、１０２は撮像装置本体である。撮像装置本体１０２には、ステレオアダプター１０３が装着されており、ステレオアダプター１０３は撮像装置本体１０２に対して、フィルターネジ１０４で固定されている。フィルターネジ１０４は図１乃至図２に示すように、撮像装置本体１０２の前方に配置されており、広角コンバーターや望遠コンバーターなどの光学的な周辺装置を取り付け可能な構造になっている。また、撮像装置本体１０２には、撮像装置本体１０２の筐体に内包される撮像レンズ１０５によって、撮影された映像を表示する画像表示部１０６が配置されている。１０７はステレオアダプター位置調整ボタンであり、ステレオアダプター位置調整ボタン１０７を押すことで、使用者は撮像装置本体１０２とステレオアダプター１０３の位置調整を行なうことができる。
【００１４】
ステレオアダプター１０３は図２に示すように、取付部２０１と回転筐体部２０２とが溝同士で嵌合するような構造になっている。そのため、取付部２０１より光軸前方の回転筐体部２０２が撮像レンズ１０５の光軸周りに回動可能に構成されており、撮像装置本体１０２に取付部２０１を取り付けた後、回転筐体部２０２を回転することで、撮像装置本体１０２に対するステレオアダプター１０３の角度を調整することができる。
【００１５】
図３は実施形態であるステレオアダプターの概略構成を示した斜視図、図４は実施形態であるステレオアダプターを撮像レンズ側から見た平面図、図５はステレオアダプターの位置調整後の画像表示部に表示された映像の説明図である。
【００１６】
ステレオアダプター１０３は、外筐３０１が合成樹脂などで形成されており、その内面は図３に示すように撮像レンズ１０５の光軸に対し４５度傾いて４枚２組の平面鏡３０２、３０３、３０４、３０５が配置されており、外筐３０１の前方に配置され、概略眼福Ｌだけ離れた右開口部３０６および左開口部３０７から映像を撮像レンズ１０５の左右半分ずつに入光する仕組みになっている。このうち、撮像レンズ１０５に最も近い２組の平面鏡３０２、３０３は図４に示すように２枚の平面鏡端面４０１が近接、もしくは、接触した状態で配置されており、撮影時に平面鏡端面４０１が映り込み、使用者の意図とは関係なく、図５のように画像表示部１０６上に表示される。図５において、右開口部３０６を通して取得された映像は右目用映像５０１として、左開口部３０７を通して取得された映像は左目用映像５０２として画像表示部１０６に表示される。
【００１７】
図５において、案内指標５０３、５０４は撮像装置本体１０２に対するステレオアダプター１０３の角度を調整するためのガイドとなるものである。
【００１８】
図８は撮像装置本体１０２とステレオアダプター１０３の位置調整前の画像表示部１０６に表示された映像である。ステレオアダプター１０３を用いた立体撮影は、ステレオアダプター１０３を撮像装置本体１０２に取り付けた状態で行なう。使用者がステレオアダプター１０３を取り付けた直後は、図８のように平面鏡端面４０１が傾いた状態で取付られる。このような状態で撮影すると、撮影された映像を視聴するとき、鑑賞者が表示された映像に正対した状態では立体として視認することができない。適正な立体画像を撮影するためには、撮像装置本体１０２に対するステレオアダプター１０３の角度を調整して、図５のように撮像装置本体１０２とステレオアダプター１０３との水平が合致した状態にする必要がある。
【００１９】
本実施例では、撮像装置本体１０２に対するステレオアダプター１０３の角度を調整するためのガイドとして、ステレオアダプター１０３の平面鏡端面４０１と、画像表示部１０６に表示された案内指標５０３、５０４を用いている。
【００２０】
図６は構成された立体画像撮像装置のブロック図を示している。撮像装置本体１０２は、固体撮像素子６０１、映像信号処理回路６０２、レンズ制御回路６０３、ステレオ位置調整回路６０４、撮像レンズ１０５、画像表示部１０６によって構成されている。ステレオアダプター１０３を通して、撮像レンズ１０５に入光してきた映像は固体撮像素子６０１に入力される。このとき、ステレオアダプターの右開口部３０６を通ってきた映像は右目用映像５０１として固体撮像素子６０１の右半分に、ステレオアダプターの左開口部３０７を通ってきた映像は左目用映像５０２として固体撮像素子６０１の左半分に入光する。固体撮像素子６０１は、入光してきた右目用映像５０１および左目用映像５０２を電気信号に変換する。
【００２１】
映像信号処理回路６０２は入光してきた右目用映像５０１および左目用映像５０２を映像信号に変換する。レンズ制御回路６０３は撮像レンズ１０５を制御するための回路であり、撮像レンズ１０５のズーム機構（図示しない）、絞り機構（図示しない）、フォーカス機構（図示しない）を制御する。ステレオ位置調整回路６０４はステレオアダプター位置調整ボタン１０７を押すことで動作される回路であり、ステレオアダプター位置調整ボタン１０７を押すことで画像表示部１０６にステレオアダプター１０３の位置調整のための案内指標５０３、５０４を表示したり、撮像レンズ１０５のフォーカス機構を制御して平面鏡端面４０１に合焦するようにしたりする。
【００２２】
図７は実施形態である立体画像撮影装置の動作を説明するためのフローチャートを示している。このように構成された本実施形態の立体画像撮像装置１０１の撮像装置本体１０２に対するステレオアダプター１０３の位置調整について、図７を参照しながら説明する。
【００２３】
使用者は、撮像装置本体１０２にステレオアダプター１０３を取り付けた状態で、ステレオアダプター位置調整ボタン１０７を押す（Ｓ７０１）。
【００２４】
レンズ制御回路６０３が撮像レンズ１０５のズーム機構（図示しない）を制御し、ワイド端まで画角を引く（Ｓ７０２）。
【００２５】
レンズ制御回路６０３はフォーカス機構（図示しない）を制御し、撮像レンズ１０５が取得している画像の中央付近で合焦させる（Ｓ７０３）。Ｓ７０２、Ｓ７０３によって、ステレオアダプター１０３の平面鏡端面４０１に合焦し、使用者が平面鏡端面４０１の輪郭を明確に視認することができるようになる。
【００２６】
画像表示部１０６上に、ステレオアダプター１０３の位置調整のための案内指標５０３、５０４を表示する（Ｓ７０４）。案内指標５０３、５０４は平面鏡端面４０１の幅で調整ができるように画像表示部１０６の中央部に垂直方向に所定の間隔で左右２本の線状に表示される。また、平面鏡端面４０１を用いてステレオアダプター１０３の位置を調整するため、画面表示部１０６の垂直方向に表示される。
【００２７】
画像表示部１０６上に表示された案内指標５０３、５０４の幅の調整を行なう（Ｓ７０５）。これは、使用しているステレオアダプター１０３が複数ある場合、平面鏡端面４０１の幅が異なることがあるため、使用者が使用しているステレオアダプター１０３に適宜合わせる必要があるためである。案内指標５０３、５０４の幅の調整は、撮像装置本体１０２に設けられた十字キーなどの入力部（図示しない）で操作可能になっている。画像表示部１０６がタッチ入力可能なデバイスであれば、タッチ入力による幅調整も可能である。
【００２８】
撮像装置本体１０２とステレオアダプター１０３の角度調整を行なう（Ｓ７０６）。撮像装置本体１０２とステレオアダプター１０３の位置調整は、ステレオアダプター１０３の回転筐体部２０２を回転することで、平面鏡端面４０１を案内指標５０３、５０４の幅に合うように、使用者が画像表示部１０６を見ながら、手動で調整を行なう。図８は撮像装置本体１０２とステレオアダプター１０３の位置調整前の画像表示部１０６に表示された映像、図５は撮像装置本体１０２とステレオアダプター１０３の位置調整後の画像表示部１０６に表示された映像である。
【００２９】
使用者が調整を終えた場合、再度、ステレオアダプター位置調整ボタン１０７を押すことで撮像装置本体１０２とステレオアダプター１０３の位置調整を終了する（Ｓ７０７）。位置操作を終了すると、平面鏡端面４０１に合焦するように制御されていたフォーカス機構が従来のオートフォーカス制御を実施され、被写体に合焦するようにレンズ制御回路６０３によって制御される。また、画面表示部１０６に表示されていた案内指標５０３、５０４は、画面表示部１０６上で非表示状態になる。
【００３０】
以上、説明したようにステレオアダプター１０３の平面鏡端部４０１に合焦するように制御し、撮像装置本体１０２の画像表示部１０６にステレオアダプター１０３と撮像装置本体１０２との水平位置を合致させるための画像表示部の垂直方向を示す案内指標５０３、５０４を表示することによって平面鏡端部４０１と案内指標５０３、５０４を合致させるように位置合わせをすることができるようになり、別部材を必要とすることなく、撮像装置本体１０２とステレオアダプター１０３との水平位置を合致させることができるようになる。また、案内指標５０３、５０４は使用者が選択的に移動できるため、どのようなステレオアダプター１０３が装着されても、案内指標５０３、５０４をそれぞれのステレオアダプター１０３に合わせることができるようになる。左右の２つの映像のずれが少なくなるように、極めて簡単に、かつ、正確に立体映像の撮影が行なえる。
【００３１】
（他の実施形態）
上述した実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行することでも本発明は実現可能である。この場合、そのプログラム、及び該プログラムを記憶した記憶媒体は本発明を構成することになる。
【符号の説明】
【００３２】
１０１  立体画像撮像装置、１０２  撮像装置本体、１０３  ステレオアダプター、
１０４  フィルターネジ、１０５  撮像レンズ、１０６  画像表示部、
１０７  ステレオアダプター位置調整ボタン、２０１  取付部、２０２  回転筐体部、
３０１  外筐、３０２，３０３，３０４，３０５  平面鏡、３０６  右開口部、
３０７  左開口部、４０１  平面鏡端面、５０３，５０４  案内指標
【図１】
2016020977.tif 000003
【図２】
2016020977.tif 000004
【図３】
2016020977.tif 000005
【図４】
2016020977.tif 000006
【図５】
2016020977.tif 000007
【図６】
2016020977.tif 000008
【図７】
2016020977.tif 000009
【図８】
2016020977.tif 000010